(57)【要約】      （修正有）【課題】室内の芳香効果を得ることができる芳香ディフューザー機能を有するスノードームを提供する。【解決手段】スノードームは、内部に縮小モデル、透明液体、および白色の片体または粉末が格納されたガラスボール１０と、上端にガラスボールが置かれる台座２０と、を含み、台座の一部または全体は吸収性素材で成型されて、吸収性素材で成型された部分に芳香オイルが含浸されたことを特徴とする。【選択図】図１
0003227052.tif 000002
【実用新案登録請求の範囲】
【請求項１】
内部に縮小モデルと、透明液体と、白色の片体または粉末が格納されたガラスボール１０、及び、
上端に前記ガラスボール１０が置かれる台座２０と、を含むスノードームであって、
前記台座２０の一部または全体は吸収性素材で成型され、吸収性素材で成型された部分に芳香オイルが含浸されたことを特徴とする、
芳香ディフューザー機能を有するスノードーム。
【請求項２】
内部に縮小モデルと、透明液体と、白色の片体または粉末が格納されたガラスボール１０、及び、
上端に前記ガラスボール１０が置かれる台座２０と、を含むスノードームであって、
リング状からなって前記台座２０の外周面にはめられる芳香部材３０がさらに備えられ、
前記芳香部材３０は伸縮性素材からなり、且つ芳香オイルを含有することを特徴とする、
芳香ディフューザー機能を有するスノードーム。
【請求項３】
内部に縮小モデルと、透明液体と、白色の片体または粉末が格納されたガラスボール１０、及び、
上端に前記ガラスボール１０が置かれる台座２０と、を含むスノードームであって、
前記台座２０の内部には、上方に開放される収納部２４が形成され、芳香オイルが格納されて前記収納部２４に収納される芳香オイル容器２をさらに備えることを特徴とする、
芳香ディフューザー機能を有するスノードーム。
【請求項４】
前記台座２０において、前記収納部２４を台座２０の外部に連通させる通気路２６が形成され、前記芳香オイル容器２に格納された芳香オイルが前記通気路２６を介して台座２０の外部に発散されることを特徴とする請求項３に記載の芳香ディフューザー機能を有するスノードーム。
【請求項５】
前記台座２０は、吸収性素材で成型され、前記芳香オイル容器２には、一端が台座２０と連結されるように芯６が差し込まれて、前記芯６によって芳香オイル容器２に格納された芳香オイルが台座２０に供給されることを特徴とする請求項３に記載の芳香ディフューザー機能を有するスノードーム。
【請求項６】
吸収性素材で成型されて背面に芯６が連結された芳香部材３２がさらに備えられ、前記台座２０の外周面には、前記芳香部材３２が取り付けられる挿入溝２３が形成され、前記挿入溝２３には、前記収納部２４と連通して前記芯６が挿通される芯差込孔２９が形成され、前記芯６が芯差込孔２９を貫通するように前記芳香部材３２を前記挿入溝２３に取り付け、前記芯６の先端部を前記芳香オイル容器２に差し込むと、芳香オイル容器２に格納された芳香オイルが前記芯６を介して芳香部材３２に供給されることを特徴とする請求項３に記載の芳香ディフューザー機能を有するスノードーム。
【考案の詳細な説明】
【技術分野】
【０００１】
本考案は、芳香ディフューザー機能を有するスノードームに関する。室内に別の芳香ディフューザーを備えていなくても、室内の芳香効果を得ることができる芳香ディフューザー機能を有する新しい構成のスノードームに係るものである。
【背景技術】
【０００２】
雪のボールとも呼ばれるスノードーム（ｓｎｏｗｇｌｏｂｅ）は縮小モデル、透明液体に加え、白色の切れ（片体）または粉末を入れたガラスボールが台座の上に置かれた製品を指称する。
【０００３】
このスノードームを振ると、液体に混合された片体または粉末がガラスボールの中に広がって、まるで雪が降るように徐々に舞い落ちる。
【０００４】
スノードームは、雪が降るようなロマンチックで、且つ魔法のような独特の感じを与えるだけでなく、台座やガラスボールの中に内蔵された縮小モデルによって装飾的な機能もあるため、装飾小物として多く愛用されている。
【０００５】
さらに、スノードームに芳香機能を加えた製品が発売され、単純な装飾小物からさらに芳香剤として活用できるようになっている。
【０００６】
しかし、従来の芳香機能を有するスノードーム製品は、芳香剤を充填するための容器を射出成型する必要があるため、開発費用が増加し、容器に充填された芳香剤の噴射のための電気部品を備えなければならないので、製造単価が高くなる問題がある。
【０００７】
更に、芳香剤噴射の際、ファンとモータの回転による騒音の発生によって静かな室内でインテリア小物として使用する時、不快感が加わるという致命的な欠点がある。
【考案の概要】
【考案が解決しようとする課題】
【０００８】
本考案は、消費者がスノードームと芳香ディフューザーの両方を購入して室内に備えて置く場合に費用が多く発生し、またスノードームと芳香ディフューザーの両方を備えて置くのに空間的な制約が発生する場合があることに着眼して提案したものである。
【０００９】
本考案は、スノードームとして本来の機能を維持しながら、芳香ディフューザーとしての機能を有するため、別の芳香ディフューザーを購入して室内に備えて置かなくても、室内の芳香効果を得ることができるので、経済的で且つ実用的な芳香ディフューザー機能を有する新たなスノードームの提供をその目的とする。
【課題を解決するための手段】
【００１０】
前記のような目的を達成するための本考案の一実施例によるスノードームは、内部に縮小モデルと、透明液体と、白色の片体または粉末が入ったガラスボール１０、及び上端に前記ガラスボール１０が置かれる台座２０と、を含む。
【００１１】
前記台座２０の一部または全体は吸収性素材で成型され、この吸収性素材で成型された部分に芳香オイルが含浸される。
【００１２】
前記のような目的を達成するための本考案の他の実施例によるスノードームは、内部に縮小モデルと、透明液体と、白色の片体または粉末が入ったガラスボール１０、及び上端に前記ガラスボール１０が置かれる台座２０と、を含む。
【００１３】
前記台座２０の外周面にはめられるリング状の芳香部材３０がさらに備えられ、前記芳香部材３０は伸縮性のある素材からなり、且つ芳香オイルが含有される。
【００１４】
前記のような目的を達成するための本考案の他の実施例によるスノードームは、内部に縮小モデルと、透明液体と、白色の片体または粉末が入ったガラスボール１０、及び上端に前記ガラスボール１０が置かれる台座２０と、を含む。
【００１５】
前記台座２０の内部には、上方に開放される収納部２４が形成され、芳香オイルが格納されて前記収納部２４に収納される芳香オイル容器２がさらに備えられる。
【００１６】
この時、前記台座２０には、前記収納部２４を台座２０の外部に連通させる通気路２６が形成され、前記芳香オイル容器２に格納された芳香オイルが前記通気路２６を介して台座２０の外部に発散される。
【００１７】
一方、前記台座２０は、吸収性素材で成型され、前記芳香オイル容器２には、一端が台座２０と連結されるように芯６が差し込まれて、前記芯６によって芳香オイル容器２に格納された芳香オイルが台座２０に供給される。
【００１８】
また、吸水性素材で成型されて背面に芯６が連結された芳香部材３２がさらに備えられ、前記台座２０の外周面には、前記芳香部材３２が取付けられる挿入溝２３が形成され、前記挿入溝２３には、前記収納部２４と連通して前記芯６が挿通される芯差込孔２９が形成され、前記芯６が芯差込孔２９を貫通するように前記芳香部材３２を前記挿入溝２３に取り付けて、前記芯６の先端部を前記芳香オイル容器２に差し込むと、芳香オイル容器２に格納された芳香オイルが前記芯６を介して芳香部材３２に供給される。
【考案の効果】
【００１９】
以上のような本考案によると、スノードーム本来の機能を維持しながら、さらに芳香ディフューザーとしての機能をするため、消費者が室内の芳香効果を得るために、別の芳香ディフューザーを購入して、室内に備えて置かなくても良いメリットがある。
【００２０】
よって、消費者の立場では、芳香ディフューザーの購入に伴う費用が削減されて経済的であり、スノードームと芳香ディフューザーの両方を室内に備えて置かなくても良いので、スペースの利用率においても優れた利点を有する。
【００２１】
特に、台座に芳香部材を取付け、芳香部材により香効果を得ることができるように構成される場合には、台座素材の選択に制約を受けないため、台座を様々な素材で製造することができ、芳香部材により台座を飾って台座の見掛けと共に本考案の全体的な見掛けが美麗になる利点がある。さらに、台座に芳香オイル容器が収納され、芳香部材が芯によって芳香オイル容器と連結される場合には、芳香オイルの容器に格納された芳香オイルが芯によって芳香部材に供給されるので、ユーザーがいちいち芳香部材に芳香オイルを供給しなくても、継続的な芳香効果を得ることができる利点がある。
【図面の簡単な説明】
【００２２】
【図１】本考案の第１の実施例を示した斜視図である。
【図２】前記実施例の側断面図である。
【図３】本考案の第２の実施例を示した斜視図である。
【図４】前記実施例の側断面図である。
【図５】本考案の第３の実施例に係る台座の分解斜視図である。
【図６】前記実施例の側断面図である。
【図７】本考案の第４の実施例を示した断面図である。
【図８】本考案の第５の実施例を示した斜視図である。
【図９】前記実施例の断面図である。
【考案を実施するための形態】
【００２３】
以下では、図面を参照して本考案を具体的に説明する。
【００２４】
[第１の実施例]
図１は、本考案の第１の実施例を示した斜視図であり、図２は、図１の側断面図である。本考案は、図示されたように、ガラスボール１０と、ガラスボール１０が置かれる台座２０と、からなる。
【００２５】
前記ガラスボール１０は、透明なガラスからなり、内部には縮小モデルと、透明の液体と、雪の降る効果を演出するための白色の片体または粉末が入ったものであって、通常のスノードームに使用されるガラスボールと同一構成を有する。
【００２６】
一方、前記台座２０は、上端に前記ガラスボール１０が置かれるものであって、上面にはガラスボール１０が安着される安着溝２２が形成される。これらの台座２０は、様々な形状を有するように吸水性素材で成型されて芳香オイルが含浸される。吸水性素材として、好ましくは石膏を使用することができる。
【００２７】
また、使用可能な芳香オイルの種類は特に限定されず、様々な種類の芳香オイルが使用可能である。
【００２８】
このように台座２０に芳香オイルが含浸されることによって台座２０が芳香ディフューザーとしての機能をする。すなわち、本考案は、スノードームとしての機能を有すると共に、芳香ディフューザーとしての機能も有し、本考案を室内に備えて置くと台座２０に含浸された芳香オイルが徐々に発散されて、室内の芳香効果が得られる。従って、本考案は、室内に備えて置くと、個別に芳香ディフューザーを購入する必要がないという利点がある。
【００２９】
好ましくは、台座２０は、互いに異なる材質からなる上部層と下部層の二層構造に区分することができる。上部層は吸収性素材からなって台座２０の上部に相当し、外部面と安着溝２２の底面部を繋ぐ空間に該当する。
【００３０】
つまり、台座２０の上部層の上面に底面方向に凹む安着溝２２が形成され、含浸された芳香オイルは、台座２０の外側面と安着溝２２の外部面を介して継続的に蒸発する。
【００３１】
安着溝２２は、ガラスボール１０を支持する役割に加えて、蒸発面積を広げるための役割をする。このため安着溝２２にコルゲーション（ｃｏｒｒｕｇａｔｉｏｎ）を形成して面積を最大化することができる。
【００３２】
一方、下部層は、台座の下部に該当し、非吸収性材料からなる。好ましくは台座２０の底面を支える脚２１が有り得る。
【００３３】
このような下部層によって上部層に含浸された芳香オイルが遮断され、台座２０の底面を介して外部に芳香オイルがにじみ出たり、流出しないように遮断される。
【００３４】
一方、台座２０に含浸された芳香オイルがすべて発散されると、ユーザーが芳香オイルを台座２０に加えて含浸させて使用する。つまり、スポイトなどで芳香オイルを台座２０に落とすと台座２０が芳香オイルを吸収して、徐々に発散させるので芳香効果を継続的に得ることができる。
【００３５】
好ましくは、図示されるように、台座２０の底面には脚２１が形成され、台座２０の底面が床から離隔されるが、このように台座２０の底面が床から離隔されると、台座２０が空気と相対的により広い面積で接触されるので、芳香効果が向上する利点がある。
【００３６】
好ましくは、台座２０の底面にもコルゲーションを形成して空気との接触面積を極大化することができる。
【００３７】
以上では、台座２０の全体が吸収性材質により形成されて台座の全体に芳香オイルが含浸されたものと説明したが、場合によっては、台座２０の一部のみ吸収性素材で成型して芳香オイルを含浸させることもできる。
【００３８】
以下では、本考案の他の実施例を説明するが、前述した実施例と同一構成及び効果については説明を省略する。
【００３９】
[第２の実施例]
図３と図４は、本考案の第２の実施例を示した斜視図および断面図である。本実施例では、台座２０に芳香オイルが含有された別の芳香部材３０が備えられて台座が芳香ディフューザーとしての機能をする。
【００４０】
前記芳香部材３０は、リング状を有するように軟質合成樹脂、シリコン、ゴムなどのような伸縮性素材で成型されるが、成型時に芳香オイルが含有される。必要に応じて、芳香オイルをカプセル化した芳香オイルカプセルを前記のような伸縮性素材に混合して芳香部材３０を成型し得る。
【００４１】
このような芳香部材３０は、台座２０の外周面にはめられるが、芳香部材３０が、伸縮性素材で成型されるため、芳香部材３０の素材自体の伸縮性により台座２０にはめられた状態が維持される。このように芳香部材３０が伸縮性を有するリング状からなると芳香部材３０を台座２０にはめて固定させるための別のツールや部品がなくても芳香部材３０を台座２０に簡単に固定させることができる長所がある。
好ましくは、図示されたところのように、台座２０の外周面には芳香部材３０に対応する形状で挿入溝２３が形成されて芳香部材３０が挿入溝２３に挿入されると芳香部材３０が外部に突出されないため、芳香部材３０と台座２０の一体性が向上され、台座２０の全体的な外観も良くなる。
【００４２】
本実施例のように台座２０に芳香部材３０がはめられる構成を有する場合には、芳香部材３０によって芳香効果を得ることができるのはもちろんであり、芳香部材３０の形状や色によって台座２０が装飾されるので、台座２０の外観が美麗になる利点もある。
また、本実施例では芳香部材３０に含有された芳香オイルが無くなると、芳香部材３０のみ新しいものに交換して使用することができる長所があるが、ユーザーが芳香部材３０の形状や色、含有された香りの種類を変えて芳香部材３０を選択することができるので、芳香部材３０を初期のものとは異なるものを選択すると、単一のスノードームを持って、他の雰囲気を演出することができ、まるでスノードームを新たに購入したような効果を奏することがでる。
【００４３】
[第３の実施例]
図５と図６は、本考案の第３の実施例に係る台座の分解斜視図と断面図である。本実施例では、前記台座２０の内部に上向きに開放される収納部２４が形成され、収納部２４には芳香オイルが格納された芳香オイル容器２が収納される。図面の符号４は、芳香オイル容器２の蓋４である。
【００４４】
そして、台座２０には芳香オイルが外部に発散されるように収納部と外部を連通させる通気路２６が形成される。したがって、ガラスボール１０を台座２０に置いた状態においても芳香オイルが通気路２６を介して外部に発散され、芳香効果を得ることができる。
【００４５】
本実施例では、通気路２６が収納部２４の内側面に沿って台座２０の上面に開放されるように形成されたものと例示されているが、通気路２６は収納部２４を外部と連通させるように様々な形で形成できるのは当然である。
【００４６】
本実施例では、芳香オイル容器２に格納された芳香オイルが無くなると、芳香オイル容器２を新しいものに交換して使用する。
【００４７】
[第４の実施例]
図７は、本考案の第４の実施例を示す断面図であって、本実施例では、台座２０の全体が吸収性材料からなり、前記芳香オイル容器２と台座２０が芯６で連結されるように構成される。つまり、芳香オイル容器２に芯６を差し込み、芯６の他端部を台座２０に接触されるようにする。このようにすれば、芳香オイル容器２に格納された芳香オイルが芯６によって台座２０に供給されるので、芳香効果が持続的に維持される。
【００４８】
[第５の実施例]
図８と図９は、本考案の第５の実施例を示したものであって、本実施例では、吸収性素材からなる芳香部材３２が台座２０に取り付けられて、芳香部材３２が芯６によって芳香オイル容器２と連結されるように構成される。
【００４９】
本実施例では、芳香部材３２が石膏、木材、石材などの吸収性素材で成型され、芳香部材３２の背面には芯６が連結される。そして、台座２０の外周面には芳香部材３２が挿入される凹溝２３が形成され、凹溝２３には台座２０の収納部２４と連通して芯６が挿通される芯差込孔２９が形成される。
【００５０】
したがって、芯６が芯差込孔２９に挿通されるように芳香部材３２を凹溝２３に取り付けると、芯６の先端部が台座２０の収納部２４の内部に位置し、このような芯６の先端部を芳香オイル容器２に差し込む。このようにすれば、芳香オイル容器２に格納された芳香オイルが芯６によって芳香部材３２に供給されて芳香効果が持続的に維持される。必要に応じて、接着剤を用いて芳香部材３２が凹溝２３に堅固に固定されるようにすることもできる。
【００５１】
特に、本実施例のように台座２０に芳香部材３２を取付けて芳香の効果を得ることができるよう構成された場合には、芳香部材３２のみ吸収性素材で成型し、台座２０の素材を多様に選択することができる利点があり、芳香部材３２によって台座２０が装飾されるため台座２０の外観が一層美麗となる利点がある。
【符号の説明】
【００５２】
２  芳香オイル容器
４  蓋
６  芯
１０  ガラスボール
２０  台座
２１  脚
２２  安着溝
２３  挿入溝、凹溝
２４  収納部
２６  通気路
２９  芯差込孔
３０、３２  芳香部材
【図１】
0003227052.tif 000003
【図２】
0003227052.tif 000004
【図３】
0003227052.tif 000005
【図４】
0003227052.tif 000006
【図５】
0003227052.tif 000007
【図６】
0003227052.tif 000008
【図７】
0003227052.tif 000009
【図８】
0003227052.tif 000010
【図９】
0003227052.tif 000011
【手続補正書】
【提出日】令和2年2月26日(2020.2.26)
【手続補正１】
【補正対象書類名】実用新案登録請求の範囲
【補正対象項目名】全文
【補正方法】変更
【補正の内容】
【実用新案登録請求の範囲】
【請求項１】
内部に縮小モデルと、透明液体と、白色の片体または粉末が格納されたガラスボール１０、及び、
上端に前記ガラスボール１０が置かれる台座２０と、を含むスノードームであって、
前記台座２０の一部または全体は吸収性素材で成型され、吸収性素材で成型された部分に芳香オイルが含浸されたことを特徴とする、
芳香ディフューザー機能を有するスノードーム。
【請求項２】
内部に縮小モデルと、透明液体と、白色の片体または粉末が格納されたガラスボール１０、及び、
上端に前記ガラスボール１０が置かれる台座２０と、を含むスノードームであって、
リング状からなって前記台座２０の外周面にはめられる芳香部材３０がさらに備えられ、
前記芳香部材３０は伸縮性素材からなり、且つ芳香オイルを含有することを特徴とする、
芳香ディフューザー機能を有するスノードーム。
【請求項３】
内部に縮小モデルと、透明液体と、白色の片体または粉末が格納されたガラスボール１０、及び、
上端に前記ガラスボール１０が置かれる台座２０と、を含むスノードームであって、
前記台座２０の内部には、上方に開放される収納部２４が形成され、芳香オイルが格納されて前記収納部２４に収納される芳香オイル容器２をさらに備えることを特徴とする、
芳香ディフューザー機能を有するスノードーム。
【請求項４】
前記台座２０において、前記収納部２４を台座２０の外部に連通させる通気路２６が形成され、前記芳香オイル容器２に格納された芳香オイルが前記通気路２６を介して台座２０の外部に発散されることを特徴とする請求項３に記載の芳香ディフューザー機能を有するスノードーム。
【請求項５】
前記台座２０は、芳香オイルを吸収する吸収性素材で成型され、前記芳香オイル容器２には、一端が台座２０と連結されるように芯６が差し込まれて、前記芯６によって芳香オイル容器２に格納された芳香オイルが台座２０に供給されることを特徴とする請求項３に記載の芳香ディフューザー機能を有するスノードーム。
【請求項６】
芳香オイルを吸収する吸収性素材で成型されて背面に芯６が連結された芳香部材３２がさらに備えられ、前記台座２０の外周面には、前記芳香部材３２が取り付けられる挿入溝２３が形成され、前記挿入溝２３には、前記収納部２４と連通して前記芯６が挿通される芯差込孔２９が形成され、前記芯６が芯差込孔２９を貫通するように前記芳香部材３２を前記挿入溝２３に取り付け、前記芯６の先端部を前記芳香オイル容器２に差し込むと、芳香オイル容器２に格納された芳香オイルが前記芯６を介して芳香部材３２に供給されることを特徴とする請求項３に記載の芳香ディフューザー機能を有するスノードーム。